(57)【要約】【課題】筒状受枠から排水蓋を取り外す際に筒状受枠内に砂が入った後、排水蓋を筒状受枠に取り付けても、砂によるシール性の低下を防止できる排水蓋取付構造を提供すること。【解決手段】排水蓋取付構造は、蓋嵌合穴部３及び蓋嵌合穴部３より小径のシール穴部４が下方に向けて連設され且つ蓋嵌合穴部３とシール穴部４との間に環状支持段部５が形成された筒状受枠１と、板状の蓋本体１０及び該蓋本体１０の下面に設けられ且つ外周面に周方向に延びる環状溝１２が設けられた挿入筒１１を有する排水蓋２と、環状溝１２に保持されたシールリング１３とを備えている。また、蓋本体１０は蓋嵌合穴部３に嵌合されていると共に環状支持段部５上に支持され、挿入筒１１はシール穴部４に挿入され、シールリング１３はシール穴部４の内周面に気密に弾接されている。しかも、シール穴部４のシール面４ａは筒状受枠１の上部開口端から浸入する砂を下方に落下可能な角度に形成されている。【選択図】図１
2008231860.tif 000002
【特許請求の範囲】
【請求項１】
蓋嵌合穴部及び該蓋嵌合穴部より小径のシール穴部が下方に向けて連設され且つ前記蓋嵌合穴部とシール穴部との間に環状支持段部が形成された筒状受枠と、板状の蓋本体及び該蓋本体の下面に設けられ且つ外周面に周方向に延びる環状溝が設けられた挿入筒を有する排水蓋と、前記環状溝に保持されたシールリングとを備え、
前記蓋本体は前記蓋嵌合穴部に嵌合されていると共に前記環状支持段部上に支持され、前記挿入筒は前記シール穴部に挿入され、前記シールリングは前記シール穴部の内周面に気密に弾接された排水蓋取付構造であって、
前記シール穴部のシール面は前記筒状受枠の上部開口端から浸入する砂を下方に落下可能な角度に形成されていることを特徴とする排水蓋取付構造。
【請求項２】
請求項１に記載の排水蓋取付構造において、前記シール面は下方に向かうに従って徐々に縮径するテーパ面であることを特徴とする排水蓋取付構造。
【請求項３】
請求項１に記載の排水蓋取付構造において、前記シール面の下端部に小径の蓋係止穴部が連設され、前記挿入筒の下端部が前記蓋係止穴部内に挿入され、前記挿入筒の下端部の外周面に第１係止部が形成され、前記蓋係止穴部の内面に前記第１係止部に係止する第２係止部が形成され、前記蓋係止穴部と前記シール穴との間に環状段差面が形成されていると共に、前記シールリングと前記環状段差面との間に所定間隔の隙間が形成されていることを特徴とする排水蓋取付構造。
【発明の詳細な説明】
【技術分野】
【０００１】
本発明は、例えば排水桝やマンホールの筒状受枠に排水蓋を着脱可能に取り付ける排水蓋取付構造に関するものである。
【背景技術】
【０００２】
一般に、排水枡やマンホールの上端部には筒状受枠が設けられ、この筒状受枠には排水蓋が取り付けられているのが普通である。この排水蓋は、筒状受枠の開口端部に嵌合される板状の蓋本体と、この蓋本体の下面に形成され且つ筒状受枠内に挿入された挿入筒を備えている。
【０００３】
従来、筒状受枠の開口端部内に第１，第２環状段差面を階段状に形成する一方、挿入筒の上端部外周面に蓋本体の下面に沿って周方向に延びる環状溝を形成して、この環状溝にシールリングを保持させ、蓋本体を第１環状段差面に支持させたときに、シールリングが蓋本体の下面と第２環状段差面に気密に密着するようにした排水蓋取付構造が知られている（例えば、特許文献１参照）。
【特許文献１】特許第３８４８４６号公報
【発明の開示】
【発明が解決しようとする課題】
【０００４】
しかし、排水枡やマンホールの設置場所では、排水蓋が地表面と略同じ高さに配置されるため、排水蓋を筒状受枠から取り外したとき、第１，第２環状段差面等に砂が溜まるものであった。しかも、排水蓋と筒状受枠との間のシールは、蓋本体の下面と第２環状段差面との間でシールリングを圧縮することにより行っていた。
【０００５】
このため、第２環状段差面に砂がある状態で、排水蓋を筒状受枠内に装着すると、シール性が低下するものであった。
【０００６】
そこで、この発明は、筒状受枠から排水蓋を取り外す際に筒状受枠内に砂が入った後、排水蓋を筒状受枠に取り付けても、砂によるシール性の低下を防止できる排水蓋取付構造を提供することを目的とするものである。
【課題を解決するための手段】
【０００７】
この目的を達成するため、この発明は、蓋嵌合穴部及び該蓋嵌合穴部より小径のシール穴部が下方に向けて連設され且つ前記蓋嵌合穴部とシール穴部との間に環状支持段部が形成された筒状受枠と、板状の蓋本体及び該蓋本体の下面に設けられ且つ外周面に周方向に延びる環状溝が設けられた挿入筒を有する排水蓋と、前記環状溝に保持されたシールリングとを備え、前記蓋本体は前記蓋嵌合穴部に嵌合されていると共に前記環状支持段部上に支持され、前記挿入筒は前記シール穴部に挿入され、前記シールリングは前記シール穴部の内周面に気密に弾接された排水蓋取付構造であって、前記シール穴部のシール面は前記筒状受枠の上部開口端から浸入する砂を下方に落下可能な角度に形成されている排水蓋取付構造としたことを特徴とする。
【発明の効果】
【０００８】
この構成によれば、筒状受枠から排水蓋を取り外す際に筒状受枠内に砂が入った後、排水蓋を筒状受枠に取り付けても、砂によるシール性の低下を防止できる。
【発明を実施するための最良の形態】
【０００９】
以下、この発明の実施の形態を図面に基づいて説明する。
【００１０】
図１〜図３において、１は排水桝の上端部に設けられる筒状受枠、２は筒状受枠１の排水蓋である。
【００１１】
この筒状受枠１内には、蓋嵌合穴部３と蓋嵌合穴部３より小径のシール穴部４が下方に向けて連設されている。そして、蓋嵌合穴部３とシール穴部４との間には環状支持段部５が形成されている。
【００１２】
このシール穴部４は、下方に向かうに従って徐々に縮径するテーパ状のシール面４ａを有している。尚、シール面４ａは、図２では略４５°に形成されているが、必ずしも４５°に形成されている必要はない。要は、筒状受枠１に上方から流入する砂等がシール面４ａに堆積せずに落下可能な角度であれば、シール面４ａの角度はいずれであっても良い。
【００１３】
また、シール面４ａの下端部には筒状部６が形成され、この筒状部６内には蓋係止穴部６ａが形成されている。また、筒状部６には下端に開放する切欠７が周方向に等ピッチで多数形成されている。これにより、筒状部６には多数の切欠７間に弾性変形可能な板部８が形成されている。この板部８の基部内面には係止突起９が第１係止部として形成されている。
【００１４】
また、排水蓋２は、板状で円形の蓋本体１０と、この蓋本体１０の下面に同心に突設された挿入筒１１を有する。この挿入筒１１は蓋本体１０に連設された基部を有し、この基部の外周面には周方向に延びる環状溝１２が形成されている。この環状溝１２には、シールリング１３が保持されている。また、挿入筒１１の下端部外周面には周方向に延びる環状係止溝１４が第２係止部として形成されている（図４参照）。
【００１５】
そして、蓋本体１０は、蓋嵌合穴部３内に嵌合されていると共に、環状支持段部５に支持されている。また、係止突起９は環状係止溝１４に係止されている。しかも、シールリング１３は、この係止突起９を環状係止溝１４に係止させることにより、シール面４ａに気密に弾接させられている。
【００１６】
このような構成においては、排水桝の点検やメインテナンスを行うために、排水蓋２を筒状受枠１から取り外したときに、砂等が筒状受枠１内に流入することもある。この流入した砂は環状支持段部５に溜まる。
【００１７】
この場合において、排水蓋２を筒状受枠１に取り付ける前に、環状支持段部５に溜まった砂をシール面４ａ側に掃き出して清掃する。この際に、掃き出された砂はシール面４ａに沿って下方に流下し、シール面４ａに溜まることがない。
【００１８】
また、点検やメインテナンスを行った後に、挿入筒１１を筒状受枠１内に挿入する。この際、挿入筒１１の下端部は、係止突起９を乗り越えて筒状受枠１の板部８を弾性力に抗して外方に変形させる。このような挿入に伴い、環状係止溝１４が係止突起９に臨むと、係止突起９は板部８の弾性力により環状係止溝１４にクリック感を生じさせながら係合する。
【００１９】
この際、蓋本体１０は、蓋嵌合穴部３内に嵌合されると共に、環状支持段部５に支持される。しかも、シールリング１３は、この係止突起９を環状係止溝１４に係止させることにより、シール面４ａに気密に弾接させられる。このシール面４ａには、砂等が堆積していないので、シールリング１３がシール面４ａで砂等により傷ついたり、シールリング１３がシール面４ａから部分的に浮いてシール性が損なわれるようなことはない。
（変形例）
また、上述した実施例では、シール穴４のシール面４ａをテーパ状に形成して傾斜させた構造としたが、必ずしもこれに限定されるものではない。例えば、図５〜図７に示したようにシール穴４のシール面４ａを略垂直に形成して、このシール面４ａにシールリング１３を弾接させるようにしても良い。
【００２０】
この場合には、蓋係止穴部６ａとシール穴４との間に環状段差面１５が形成される。しかも、環状段差面１５とシールリング１３との間には所定の隙間１６が形成されている。この隙間は、流入する砂が環状段差面１５に堆積しても、この砂にシールリング１３が当たらない程度の寸法に形成されている。他の構成は、図１〜図４に示した実施例と同じであるので、その説明は省略する。
【００２１】
以上説明したように、この発明の実施の形態の排水蓋取付構造は、蓋嵌合穴部３及び該蓋嵌合穴部３より小径のシール穴部４が下方に向けて連設され且つ前記蓋嵌合穴部３とシール穴部４との間に環状支持段部５が形成された筒状受枠１と、板状の蓋本体１０及び該蓋本体１０の下面に設けられ且つ外周面に周方向に延びる環状溝１２が設けられた挿入筒１１を有する排水蓋２と、前記環状溝１２に保持されたシールリング１３とを備えている。また、前記蓋本体１０は前記蓋嵌合穴部３に嵌合されていると共に前記環状支持段部５上に支持され、前記挿入筒１１は前記シール穴部４に挿入され、前記シールリング１３は前記シール穴部４の内周面に気密に弾接されている。しかも、前記シール穴部４のシール面４ａは前記筒状受枠１の上部開口端から浸入する砂を下方に落下可能な角度に形成されている。
【００２２】
この構成によれば、筒状受枠１から排水蓋２を取り外す際に筒状受枠１内に砂が入った後、排水蓋２を筒状受枠１に取り付けても、砂によるシール性の低下を防止できる。
【００２３】
また、この発明の実施の形態の排水蓋取付構造において、前記シール面４ａは下方に向かうに従って徐々に縮径するテーパ面としている。
【００２４】
この構成によれば、筒状受枠１から排水蓋２を取り外す際に筒状受枠１内に砂が入っても、砂がシール面４ａに沿って落下してシール面４ａに堆積しないので、排水蓋２を取り外し後に筒状受枠１に取り付けても、砂によるシール性の低下を防止できる。
【００２５】
更に、この発明の実施の形態の排水蓋取付構造において、前記シール面４ａの下端部に小径の蓋係止穴部６ａが連設され、前記挿入筒１１の下端部が前記蓋係止穴部６ａ内に挿入されている。また、前記挿入筒１１の下端部の外周面に第１係止部（環状係止溝１４）が形成され、前記蓋係止穴部６ａの内面に前記第１係止部（環状係止溝１４）に係止する第２係止部（係止突起９）が形成されている。しかも、前記蓋係止穴部６ａと前記シール穴４との間に環状段差面１５が形成されていると共に、前記シールリング１３と前記環状段差面１５との間に所定間隔の隙間１６が形成されている。
【００２６】
この構成によれば、筒状受枠１から排水蓋２を取り外す際に、筒状受枠１内に砂が入って環状段差面１５に砂が堆積しても、この環状段差面１５をシール面としていないので、排水蓋２を取り外し後に筒状受枠１に取り付けても、砂によるシール性の低下を防止できる。
【００２７】
尚、以上説明した実施例では、この発明の排水蓋取付構造を排水桝に適用した例を示したが、必ずしもこれに限定されるものではない。例えば、この発明の排水蓋取付構造はマンホール等に適用することもできる。
【図面の簡単な説明】
【００２８】
【図１】この発明に係る排水蓋取付構造の一例を示す断面図である。
【図２】図１の要部拡大図である。
【図３】図１の排水蓋取付構造の分解図である。
【図４】図１〜３の排水蓋に設けられる環状溝の説明図である。
【図５】この発明に係る排水蓋取付構造の他の例を示す断面図である。
【図６】図５の要部拡大図である。
【図７】図５の排水蓋取付構造の分解図である。
【符号の説明】
【００２９】
１・・・筒状受枠
２・・・排水蓋
３・・・蓋嵌合穴部
４・・・シール穴部
４ａ・・・シール面
５・・・環状支持段部
６ａ・・・蓋係止穴部
９・・・係止突起（第２係止部）
１０・・・蓋本体
１１・・・挿入筒
１２・・・環状溝
１３・・・シールリング
１４・・・環状係止溝（第１係止部）
１５・・・環状段差面
１６・・・隙間
【図１】
2008231860.tif 000003
【図２】
2008231860.tif 000004
【図３】
2008231860.tif 000005
【図４】
2008231860.tif 000006
【図５】
2008231860.tif 000007
【図６】
2008231860.tif 000008
【図７】
2008231860.tif 000009